【手続補正書】
【提出日】平成16年10月20日(2004.10.20)
【手続補正１】
【補正対象書類名】明細書
【補正対象項目名】発明の名称
【補正方法】変更
【補正の内容】
【発明の名称】画像処理装置、データ処理方法及びコンピュータ読取可能な記憶媒体
【手続補正２】
【補正対象書類名】明細書
【補正対象項目名】特許請求の範囲
【補正方法】変更
【補正の内容】
【特許請求の範囲】
【請求項１】
外部装置からプリントデータを入力する入力手段、
前記入力手段に入力されたプリントデータからフィニッシング情報を判別する判別手段、
前記入力手段に入力されたプリントデータからプレビュー用の画像データを作成するプレビュー画像作成手段、
前記プレビュー画像作成手段で作成されたプレビューデータを表示する表示手段、
とを備え、前記表示手段で表示されるプレビューに前記判別手段で判別したフィニッシング情報を表示することを特徴とする画像処理装置。
【請求項２】
請求項１における画像処理装置において、前記判別手段で判別したフィニッシング情報を前記表示手段に表示するかどうかを設定可能なことを特徴とする画像処理装置。
【請求項３】
請求項１における画像処理装置において、さらに、前記判別手段で判別したフィニッシング情報を変更するための変更手段を備え、前記変更手段によってフィニッシング情報が変更された場合には、前記表示手段で表示しているプレビュー画像を自動的に更新することを特徴とする画像処理装置。
【請求項４】
請求項１における画像処理装置において、前記プレビュー画像作成手段で作成するプレビュー画像データにおいて、プレビュー画像データの解像度を任意に設定可能であることを特徴とする画像処理装置。
【請求項５】
請求項１における画像処理装置において、さらに、画像の向きを変更するための画像方向変更手段を備え、前記画像方向変更手段によって画像の向きが変更された場合には、前記表示手段で表示しているプレビュー画像を自動的に更新することを特徴とする画像処理装置。
【請求項６】
ネットワーク接続されたホストコンピュータのプリントデータを含む複数のデータを記憶可能なデータ記憶手段のプリントデータのプリント処理を実行可能な画像形成手段を有する画像形成装置と、前記画像形成手段によりプリントされたシートに対して、ステイプル処理及び穴あけ処理及び折り処理のうちの少なくとも何れかのフィニッシング処理を実行可能なシート処理装置と、を有する画像処理システムであって、
前記画像形成手段によるプリント処理を行う前にプリントデータのプレビュー表示を表示手段に実行させる制御手段を有し、
前記制御手段は、
フィニッシング設定がなされたジョブのプリントデータのプレビュー表示を行う場合に、該プリントデータをそのままプレビュー表示すること無く、該プリントデータに該フィニッシング設定が反映されたプレビュー表示を前記表示手段に実行させ、
更に、前記制御手段は、
前記表示手段による前記フィニッシング設定が反映されたプレビュー表示がなされうえで、該フィニッシング設定を変更せずに該プリントデータのプリント処理を開始させる為の第１指示、及び、該プリントデータのプリント処理を開始する事無く該フィニッシング設定をユーザ操作により変更可能にする為の第２指示、のうちの、少なくとも何れかの指示を、ユーザ操作を介して、受付可能にし、
前記表示手段による前記フィニッシング設定が反映されたプレビュー表示がなされたうえで前記第１指示が入力された場合に、前記プリントデータのプリント処理を前記画像形成手段により開始させ、且つ、該プリント処理がなされたシートに対する前記フィニッシング設定に応じたフィニッシング処理を前記シート処理装置により実行させ、
一方、
前記表示手段による前記フィニッシング設定が反映されたプレビュー表示がなされたうえで前記第２指示が入力された場合に、前記プリントデータのプリント処理を前記画像形成手段により開始させる事無く、該フィニッシング設定を、ユーザ操作を介して変更可能にし、該フィニッシングの設定変更がなされたうえで、前記プリントデータのプリント処理を前記画像形成手段により開始させ、且つ、該プリント処理がなされたシートに対して該設定変更後のフィニッシング設定に応じたフィニッシング処理を前記シート処理装置により実行可能にする、ことを特徴とする画像処理システム。
【請求項７】
ネットワーク接続されたホストコンピュータのプリントデータを含む複数のデータを記憶可能なデータ記憶手段のプリントデータのプリント処理を実行可能な画像形成手段を有する画像形成装置と、前記画像形成手段によりプリントされたシートに対して、ステイプル処理及び穴あけ処理及び折り処理のうちの少なくとも何れかのフィニッシング処理を実行可能なシート処理装置と、を有する画像処理システムであって、
前記画像形成手段によるプリント処理を行う前にプリントデータのプレビュー表示を表示手段に実行させる制御手段を有し、
前記制御手段は、
フィニッシング設定がなされたジョブのプリントデータのプレビュー表示を行う場合に、該プリントデータをそのままプレビュー表示すること無く、該プリントデータに該フィニッシング設定が反映されたプレビュー表示を前記表示手段に実行させ、
更に、前記制御手段は、
前記表示手段による前記フィニッシング設定が反映されたプレビュー表示がなされうえで、該フィニッシング設定を変更せずに該プリントデータのプリント処理を開始させる為の第１指示、及び、該プリントデータのプリント処理を開始する事無く該フィニッシング設定をユーザ操作を介して変更可能にする為の第２指示、及び、該プリントデータのプリント処理をキャンセルする為の第３指示、のうちの、少なくとも何れかの指示を、ユーザ操作を介して、受付可能にし、
前記表示手段による前記フィニッシング設定が反映されたプレビュー表示がなされたうえで前記第１指示が入力された場合に、前記プリントデータのプリント処理を前記画像形成手段により開始させ、且つ、該プリント処理がなされたシートに対する前記フィニッシング設定に応じたフィニッシング処理を前記シート処理装置により実行させ、
前記表示手段による前記フィニッシング設定が反映されたプレビュー表示がなされたうえで前記第２指示が入力された場合に、前記プリントデータのプリント処理を前記画像形成手段により開始させる事無く、該フィニッシング設定をユーザ操作を介して変更可能にし、該フィニッシングの設定変更がなされたうえで、前記プリントデータのプリント処理を前記画像形成手段により開始させ、且つ、該プリント処理がなされたシートに対して該設定変更後のフィニッシング設定に応じたフィニッシング処理を前記シート処理装置により実行可能にし、
前記表示手段による前記フィニッシング設定が反映されたプレビュー表示がなされたうえで前記第３指示が入力された場合に、前記プリントデータのプリント処理を前記画像形成手段により開始させる事無くキャンセルさせる、ことを特徴とする画像処理システム。
【請求項８】
ネットワーク接続されたホストコンピュータのプリントデータを含む複数のデータを記憶可能なデータ記憶手段のプリントデータのプリント処理を実行可能な画像形成手段を有する画像形成装置と、前記画像形成手段によりプリントされたシートに対して、ステイプル処理及び穴あけ処理及び折り処理のうちの少なくとも何れかのフィニッシング処理を実行可能なシート処理装置と、を有する画像処理システムのデータ処理方法であって、
前記画像形成手段によるプリント処理を行う前にプリントデータのプレビュー表示を表示手段により実行可能にし、
フィニッシング設定がなされたジョブのプリントデータのプレビュー表示を行う場合に、該プリントデータをそのままプレビュー表示すること無く、該プリントデータに該フィニッシング設定が反映されたプレビュー表示を前記表示手段により実行可能にし、
前記表示手段による前記フィニッシング設定が反映されたプレビュー表示がなされうえで、該フィニッシング設定を変更せずに該プリントデータのプリント処理を開始させる為の第１指示、及び、該プリントデータのプリント処理を開始する事無く該フィニッシング設定をユーザ操作により変更可能にする為の第２指示、のうちの、少なくとも何れかの指示を、ユーザ操作を介して、受付可能にし、
前記表示手段による前記フィニッシング設定が反映されたプレビュー表示がなされたうえで前記第１指示が入力された場合に、前記プリントデータのプリント処理を前記画像形成手段により開始させ、且つ、該プリント処理がなされたシートに対する前記フィニッシング設定に応じたフィニッシング処理を前記シート処理装置により実行可能にし、
一方、
前記表示手段による前記フィニッシング設定が反映されたプレビュー表示がなされたうえで前記第２指示が入力された場合に、前記プリントデータのプリント処理を前記画像形成手段により開始させる事無く、該フィニッシング設定を、ユーザ操作を介して変更可能にし、該フィニッシングの設定変更がなされたうえで、前記プリントデータのプリント処理を前記画像形成手段により開始させ、且つ、該プリント処理がなされたシートに対して該設定変更後のフィニッシング設定に応じたフィニッシング処理を前記シート処理装置により実行可能にする、ことを特徴とするデータ処理方法。
【請求項９】
ネットワーク接続されたホストコンピュータのプリントデータを含む複数のデータを記憶可能なデータ記憶手段のプリントデータのプリント処理を実行可能な画像形成手段を有する画像形成装置と、前記画像形成手段によりプリントされたシートに対して、ステイプル処理及び穴あけ処理及び折り処理のうちの少なくとも何れかのフィニッシング処理を実行可能なシート処理装置と、を有する画像処理システムのデータ処理方法であって、
前記画像形成手段によるプリント処理を行う前にプリントデータのプレビュー表示を表示手段により実行可能にし、
フィニッシング設定がなされたジョブのプリントデータのプレビュー表示を行う場合に、該プリントデータをそのままプレビュー表示すること無く、該プリントデータに該フィニッシング設定が反映されたプレビュー表示を前記表示手段により実行可能にし、
前記表示手段による前記フィニッシング設定が反映されたプレビュー表示がなされうえで、該フィニッシング設定を変更せずに該プリントデータのプリント処理を開始させる為の第１指示、及び、該プリントデータのプリント処理を開始する事無く該フィニッシング設定をユーザ操作を介して変更可能にする為の第２指示、及び、該プリントデータのプリント処理をキャンセルする為の第３指示、のうちの、少なくとも何れかの指示を、ユーザ操作を介して、受付可能にし、
前記表示手段による前記フィニッシング設定が反映されたプレビュー表示がなされたうえで前記第１指示が入力された場合に、前記プリントデータのプリント処理を前記画像形成手段により開始させ、且つ、該プリント処理がなされたシートに対する前記フィニッシング設定に応じたフィニッシング処理を前記シート処理装置により実行可能にし、
前記表示手段による前記フィニッシング設定が反映されたプレビュー表示がなされたうえで前記第２指示が入力された場合に、前記プリントデータのプリント処理を前記画像形成手段により開始させる事無く、該フィニッシング設定をユーザ操作を介して変更可能にし、該フィニッシングの設定変更がなされたうえで、前記プリントデータのプリント処理を前記画像形成手段により開始させ、且つ、該プリント処理がなされたシートに対して該設定変更後のフィニッシング設定に応じたフィニッシング処理を前記シート処理装置により実行可能にし、
前記表示手段による前記フィニッシング設定が反映されたプレビュー表示がなされたうえで前記第３指示が入力された場合に、前記プリントデータのプリント処理を前記画像形成手段により開始させる事無くキャンセルさせる、ことを特徴とするデータ処理方法。
【請求項１０】
請求項８又は９記載のデータ処理方法であって、
前記表示手段による前記フィニッシング設定が反映されたプレビュー表示がなされたうえで前記第２指示が入力された場合に、該フィニッシング設定がユーザ操作を介して変更されたうえで、設定変更後のフィニッシング設定が前記プリントデータに反映されたプレビュー表示を、前記プリントデータのプリント処理を開始する前に、前記表示手段により実行可能にする、ことを特徴とするデータ処理方法。
【請求項１１】
請求項８乃至１０の何れかに記載のデータ処理方法であって、
前記表示手段による前記フィニッシング設定が反映されたプレビュー表示がなされたうえで前記第２指示が入力された場合に、前記フィニッシング設定をユーザ操作を介して変更可能にすると共に、前記プリントデータの画像方向もユーザ操作を介して変更可能にすることを特徴とするデータ処理方法。
【請求項１２】
請求項８乃至１１の何れかに記載のデータ処理方法であって、
ホストコンピュータのプリントデータを前記データ記憶手段に記憶可能とし、該ホストコンピュータのプリントデータのプリント処理を前記画像形成手段により実行可能にすることを特徴とするデータ処理方法。
【請求項１３】
請求項８乃至１２の何れかに記載のデータ処理方法であって、
前記画像形成装置は原稿読取手段を有し、前記画像形成手段により前記原稿読手段からのプリントデータをプリント可能にすることを特徴とするデータ処理方法。
【請求項１４】
請求項８乃至１３の何れかに記載のデータ処理方法であって、
前記プリントデータを、複写機としての機能とプリンタとしての機能との両方を有する画像形成装置の画像形成手段によりプリント処理を実行させることを特徴とするデータ処理方法。
【請求項１５】
請求項８乃至１４の何れかに記載のデータ処理方法であって、前記プリントデータに前記フィニッシング設定が反映された前記プレビュー表示を、ページ単位で前記表示手段により実行可能にし、且つ、プレビュー表示させるべきページを、ユーザ操作を介して、指定可能にすることを特徴とするデータ処理方法。
【請求項１６】
請求項８乃至１５の何れかに記載のデータ処理方法を実行する為のプログラムを記憶したことを特徴とするコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は、ネットワーク上に接続されるホストコンピュータから受け取ったプリントジョブを処理し、記録媒体に出力する画像処理装置、データ処理方法及びコンピュータ読取可能な記憶媒体に関し、特にプリントジョブのプレビュー画像を表示することが可能なプリントシステムに関する。
【手続補正４】
【補正対象書類名】明細書
【補正対象項目名】０００７
【補正方法】変更
【補正の内容】
【０００７】
本発明では、このような問題を解決するために、実際に出力する前にステイプル位置等のフィニッシング情報をプレビュー画面に表示することが可能であり、さらには、フィニッシング設定を変更可能な画像処理装置、データ処理方法及びコンピュータ読取可能な記憶媒体を提供することを目的とする。
【手続補正５】
【補正対象書類名】明細書
【補正対象項目名】００１２
【補正方法】変更
【補正の内容】
【００１２】
（４）前記（１）における画像処理装置において、前記プレビュー画像作成手段で作成するプレビュー画像データにおいて、プレビュー画像データの解像度を任意に設定可能であることを特徴とする画像処理装置。
【手続補正６】
【補正対象書類名】明細書
【補正対象項目名】００１３
【補正方法】変更
【補正の内容】
【００１３】
（５）前記（１）における画像処理装置において、さらに、画像の向きを変更するための画像方向変更手段を備え、前記画像方向変更手段によって画像の向きが変更された場合には、前記表示手段で表示しているプレビュー画像を自動的に更新することを特徴とする画像処理装置。
（６）ネットワーク接続されたホストコンピュータのプリントデータを含む複数のデータを記憶可能なデータ記憶手段のプリントデータのプリント処理を実行可能な画像形成手段を有する画像形成装置と、前記画像形成手段によりプリントされたシートに対して、ステイプル処理及び穴あけ処理及び折り処理のうちの少なくとも何れかのフィニッシング処理を実行可能なシート処理装置と、を有する画像処理システムであって、
前記画像形成手段によるプリント処理を行う前にプリントデータのプレビュー表示を表示手段に実行させる制御手段を有し、
前記制御手段は、
フィニッシング設定がなされたジョブのプリントデータのプレビュー表示を行う場合に、該プリントデータをそのままプレビュー表示すること無く、該プリントデータに該フィニッシング設定が反映されたプレビュー表示を前記表示手段に実行させ、
更に、前記制御手段は、
前記表示手段による前記フィニッシング設定が反映されたプレビュー表示がなされうえで、該フィニッシング設定を変更せずに該プリントデータのプリント処理を開始させる為の第１指示、及び、該プリントデータのプリント処理を開始する事無く該フィニッシング設定をユーザ操作により変更可能にする為の第２指示、のうちの、少なくとも何れかの指示を、ユーザ操作を介して、受付可能にし、
前記表示手段による前記フィニッシング設定が反映されたプレビュー表示がなされたうえで前記第１指示が入力された場合に、前記プリントデータのプリント処理を前記画像形成手段により開始させ、且つ、該プリント処理がなされたシートに対する前記フィニッシング設定に応じたフィニッシング処理を前記シート処理装置により実行させ、
一方、
前記表示手段による前記フィニッシング設定が反映されたプレビュー表示がなされたうえで前記第２指示が入力された場合に、前記プリントデータのプリント処理を前記画像形成手段により開始させる事無く、該フィニッシング設定を、ユーザ操作を介して変更可能にし、該フィニッシングの設定変更がなされたうえで、前記プリントデータのプリント処理を前記画像形成手段により開始させ、且つ、該プリント処理がなされたシートに対して該設定変更後のフィニッシング設定に応じたフィニッシング処理を前記シート処理装置により実行可能にする、ことを特徴とする画像処理システム。
（７）ネットワーク接続されたホストコンピュータのプリントデータを含む複数のデータを記憶可能なデータ記憶手段のプリントデータのプリント処理を実行可能な画像形成手段を有する画像形成装置と、前記画像形成手段によりプリントされたシートに対して、ステイプル処理及び穴あけ処理及び折り処理のうちの少なくとも何れかのフィニッシング処理を実行可能なシート処理装置と、を有する画像処理システムであって、
前記画像形成手段によるプリント処理を行う前にプリントデータのプレビュー表示を表示手段に実行させる制御手段を有し、
前記制御手段は、
フィニッシング設定がなされたジョブのプリントデータのプレビュー表示を行う場合に、該プリントデータをそのままプレビュー表示すること無く、該プリントデータに該フィニッシング設定が反映されたプレビュー表示を前記表示手段に実行させ、
更に、前記制御手段は、
前記表示手段による前記フィニッシング設定が反映されたプレビュー表示がなされうえで、該フィニッシング設定を変更せずに該プリントデータのプリント処理を開始させる為の第１指示、及び、該プリントデータのプリント処理を開始する事無く該フィニッシング設定をユーザ操作を介して変更可能にする為の第２指示、及び、該プリントデータのプリント処理をキャンセルする為の第３指示、のうちの、少なくとも何れかの指示を、ユーザ操作を介して、受付可能にし、
前記表示手段による前記フィニッシング設定が反映されたプレビュー表示がなされたうえで前記第１指示が入力された場合に、前記プリントデータのプリント処理を前記画像形成手段により開始させ、且つ、該プリント処理がなされたシートに対する前記フィニッシング設定に応じたフィニッシング処理を前記シート処理装置により実行させ、
前記表示手段による前記フィニッシング設定が反映されたプレビュー表示がなされたうえで前記第２指示が入力された場合に、前記プリントデータのプリント処理を前記画像形成手段により開始させる事無く、該フィニッシング設定をユーザ操作を介して変更可能にし、該フィニッシングの設定変更がなされたうえで、前記プリントデータのプリント処理を前記画像形成手段により開始させ、且つ、該プリント処理がなされたシートに対して該設定変更後のフィニッシング設定に応じたフィニッシング処理を前記シート処理装置により実行可能にし、
前記表示手段による前記フィニッシング設定が反映されたプレビュー表示がなされたうえで前記第３指示が入力された場合に、前記プリントデータのプリント処理を前記画像形成手段により開始させる事無くキャンセルさせる、ことを特徴とする画像処理システム。
（８）ネットワーク接続されたホストコンピュータのプリントデータを含む複数のデータを記憶可能なデータ記憶手段のプリントデータのプリント処理を実行可能な画像形成手段を有する画像形成装置と、前記画像形成手段によりプリントされたシートに対して、ステイプル処理及び穴あけ処理及び折り処理のうちの少なくとも何れかのフィニッシング処理を実行可能なシート処理装置と、を有する画像処理システムのデータ処理方法であって、
前記画像形成手段によるプリント処理を行う前にプリントデータのプレビュー表示を表示手段により実行可能にし、
フィニッシング設定がなされたジョブのプリントデータのプレビュー表示を行う場合に、該プリントデータをそのままプレビュー表示すること無く、該プリントデータに該フィニッシング設定が反映されたプレビュー表示を前記表示手段により実行可能にし、
前記表示手段による前記フィニッシング設定が反映されたプレビュー表示がなされうえで、該フィニッシング設定を変更せずに該プリントデータのプリント処理を開始させる為の第１指示、及び、該プリントデータのプリント処理を開始する事無く該フィニッシング設定をユーザ操作により変更可能にする為の第２指示、のうちの、少なくとも何れかの指示を、ユーザ操作を介して、受付可能にし、
前記表示手段による前記フィニッシング設定が反映されたプレビュー表示がなされたうえで前記第１指示が入力された場合に、前記プリントデータのプリント処理を前記画像形成手段により開始させ、且つ、該プリント処理がなされたシートに対する前記フィニッシング設定に応じたフィニッシング処理を前記シート処理装置により実行可能にし、
一方、
前記表示手段による前記フィニッシング設定が反映されたプレビュー表示がなされたうえで前記第２指示が入力された場合に、前記プリントデータのプリント処理を前記画像形成手段により開始させる事無く、該フィニッシング設定を、ユーザ操作を介して変更可能にし、該フィニッシングの設定変更がなされたうえで、前記プリントデータのプリント処理を前記画像形成手段により開始させ、且つ、該プリント処理がなされたシートに対して該設定変更後のフィニッシング設定に応じたフィニッシング処理を前記シート処理装置により実行可能にする、ことを特徴とするデータ処理方法。
（９）ネットワーク接続されたホストコンピュータのプリントデータを含む複数のデータを記憶可能なデータ記憶手段のプリントデータのプリント処理を実行可能な画像形成手段を有する画像形成装置と、前記画像形成手段によりプリントされたシートに対して、ステイプル処理及び穴あけ処理及び折り処理のうちの少なくとも何れかのフィニッシング処理を実行可能なシート処理装置と、を有する画像処理システムのデータ処理方法であって、
前記画像形成手段によるプリント処理を行う前にプリントデータのプレビュー表示を表示手段により実行可能にし、
フィニッシング設定がなされたジョブのプリントデータのプレビュー表示を行う場合に、該プリントデータをそのままプレビュー表示すること無く、該プリントデータに該フィニッシング設定が反映されたプレビュー表示を前記表示手段により実行可能にし、
前記表示手段による前記フィニッシング設定が反映されたプレビュー表示がなされうえで、該フィニッシング設定を変更せずに該プリントデータのプリント処理を開始させる為の第１指示、及び、該プリントデータのプリント処理を開始する事無く該フィニッシング設定をユーザ操作を介して変更可能にする為の第２指示、及び、該プリントデータのプリント処理をキャンセルする為の第３指示、のうちの、少なくとも何れかの指示を、ユーザ操作を介して、受付可能にし、
前記表示手段による前記フィニッシング設定が反映されたプレビュー表示がなされたうえで前記第１指示が入力された場合に、前記プリントデータのプリント処理を前記画像形成手段により開始させ、且つ、該プリント処理がなされたシートに対する前記フィニッシング設定に応じたフィニッシング処理を前記シート処理装置により実行可能にし、
前記表示手段による前記フィニッシング設定が反映されたプレビュー表示がなされたうえで前記第２指示が入力された場合に、前記プリントデータのプリント処理を前記画像形成手段により開始させる事無く、該フィニッシング設定をユーザ操作を介して変更可能にし、該フィニッシングの設定変更がなされたうえで、前記プリントデータのプリント処理を前記画像形成手段により開始させ、且つ、該プリント処理がなされたシートに対して該設定変更後のフィニッシング設定に応じたフィニッシング処理を前記シート処理装置により実行可能にし、
前記表示手段による前記フィニッシング設定が反映されたプレビュー表示がなされたうえで前記第３指示が入力された場合に、前記プリントデータのプリント処理を前記画像形成手段により開始させる事無くキャンセルさせる、ことを特徴とするデータ処理方法。
（１０）前記（８）又は（９）記載のデータ処理方法であって、
前記表示手段による前記フィニッシング設定が反映されたプレビュー表示がなされたうえで前記第２指示が入力された場合に、該フィニッシング設定がユーザ操作を介して変更されたうえで、設定変更後のフィニッシング設定が前記プリントデータに反映されたプレビュー表示を、前記プリントデータのプリント処理を開始する前に、前記表示手段により実行可能にする、ことを特徴とするデータ処理方法。
（１１）前記（８）乃至（１０）の何れかに記載のデータ処理方法であって、
前記表示手段による前記フィニッシング設定が反映されたプレビュー表示がなされたうえで前記第２指示が入力された場合に、前記フィニッシング設定をユーザ操作を介して変更可能にすると共に、前記プリントデータの画像方向もユーザ操作を介して変更可能にすることを特徴とするデータ処理方法。
（１２）前記（８）乃至（１１）の何れかに記載のデータ処理方法であって、
ホストコンピュータのプリントデータを前記データ記憶手段に記憶可能とし、該ホストコンピュータのプリントデータのプリント処理を前記画像形成手段により実行可能にすることを特徴とするデータ処理方法。
（１３）前記（８）乃至１２の何れかに記載のデータ処理方法であって、
前記画像形成装置は原稿読取手段を有し、前記画像形成手段により前記原稿読手段からのプリントデータをプリント可能にすることを特徴とするデータ処理方法。
（１４）前記（８）乃至（１３）の何れかに記載のデータ処理方法であって、
前記プリントデータを、複写機としての機能とプリンタとしての機能との両方を有する画像形成装置の画像形成手段によりプリント処理を実行させることを特徴とするデータ処理方法。
（１５）前記（８）乃至（１４）の何れかに記載のデータ処理方法であって、前記プリントデータに前記フィニッシング設定が反映された前記プレビュー表示を、ページ単位で前記表示手段により実行可能にし、且つ、プレビュー表示させるべきページを、ユーザ操作を介して、指定可能にすることを特徴とするデータ処理方法。
（１６）前記（８）乃至（１５）の何れかに記載のデータ処理方法を実行する為のプログラムを記憶したことを特徴とするコンピュータ読取可能な記憶媒体。
【手続補正７】
【補正対象書類名】明細書
【補正対象項目名】００５５
【補正方法】変更
【補正の内容】
【００５５】
【発明の効果】
本発明によれば、プレビューを表示することによって実際にプリントする前に画像の配置や色味等のチェックを行うことが可能な従来のプリントシステムでも生じうる、例えば、画像の向きとステイプル位置の関係等は実際に出力してみないと分からないという問題や、出力結果が好ましくなかった場合に設定を変更して再度プリントする必要があったため時間がかかるという問題、等を、解決でき、実際に出力する前にステイプル位置等のフィニッシング情報をプレビュー画面に表示することが可能であり、さらには、フィニッシング設定の変更が可能となる。